(57)【要約】呼出しセッションの状態情報の移動をトリガするための方法が提供される。方法は、アクセス端末に関連する移動度情報および前記無線通信システムに関連する状態情報のうちの少なくとも１つに基づいて、無線通信システム内のアクセス端末に関連するネットワーク・アクセス・エージェントを移動するかどうかを決定するステップを含む。
2009526478.tif 000002
【特許請求の範囲】
【請求項１】
アクセス端末に関連する移動度情報および無線通信システムに関連する状態情報のうちの少なくとも１つに基づいて、前記無線通信システム内の前記アクセス端末に関連するネットワーク・アクセス・エージェントを移動するかどうかを決定するステップ
を含む方法。
【請求項２】
前記ネットワーク・アクセス・エージェントを移動するかどうかを決定するステップが、中継トランスポート遅延、制御シグナリング・オーバヘッド、呼出しの再アクティブ化時間、前記アクセス端末の位置、前記アクセス端末の動作、物理層の移動度アクセスの移動度の頻度または速度、およびポリシーベースのタイマのうちの少なくとも１つを示す情報に基づいて、前記ネットワーク・アクセス・エージェントを移動するかどうかを決定するステップを含む、請求項１に記載の方法。
【請求項３】
前記ネットワーク・アクセス・エージェントを移動するかどうかを決定するステップが、前記アクセス端末に関連する前記ネットワーク・アクセス・エージェントが前記アクセス端末のためにサービス提供している基地局上にないことを決定するステップに応答して、前記アクセス端末のために前記サービス提供している基地局に関連する前記ネットワーク・アクセス・エージェントを移動することを決定するステップを含む、請求項１に記載の方法。
【請求項４】
前記ネットワーク・アクセス・エージェントを移動するかどうかを判断するステップが、前記アクセス端末がアイドル・モードに入る前に前記ネットワーク・アクセス・エージェントを移動するかどうかを決定するステップを含む、請求項１に記載の方法。
【請求項５】
サービス提供している基地局ルータで、前記アクセス端末から前記アイドル・モードに入る要求を受信するステップと、
前記アイドル・モードに入る前記要求を受信することに応答して、前記アクセス端末に関連する前記ネットワーク・アクセス・エージェントが前記サービス提供している基地局ルータ上にあるかどうかを決定するステップと、
前記アクセス端末に関連する前記ネットワーク・アクセス・エージェントが前記アクセス端末のためにサービス提供している基地局上にないことを決定するステップに応答して、前記アクセス端末に関連する前記ネットワーク・アクセス・エージェントを前記サービス提供している基地局に移動するステップと、
前記ネットワーク・アクセス・エージェントが前記サービス提供している基地局に移動したほぼ後で、前記アイドル・モードに入る前記要求を許可するステップと
を含む、請求項４に記載の方法。
【請求項６】
前記ネットワーク・アクセス・エージェントを移動するかどうかを決定するステップが、前記アクセス端末がアイドル・モードにある間に前記ネットワーク・アクセス・エージェントを移動するかどうかを決定するステップと、前記アクセス端末の少なくとも１つの位置を示す情報に応答して、前記ネットワーク・アクセス・エージェントを移動するかどうかを決定するステップと、ネットワーク・トポロジー、登録境界、最後に報告された基地局ルータと前記アクセス端末の前記少なくとも１つの位置に関連する少なくとも１つの基地局ルータの間のトンネル利用可能性、データ経路探索時間、前記アクセス端末に関連する少なくとも１つの移動特性、および前記アクセス端末に関連する少なくとも１つの所定の移動パターンのうちの少なくとも１つに基づいて、前記ネットワーク・アクセス・エージェントを移動するかどうかを決定するステップとを含む、請求項１に記載の方法。
【請求項７】
前記ネットワーク・アクセス・エージェントを移動するかどうかを決定するステップが、アイドル状態のアクセス端末をアクティブ化するステップと同時に前記ネットワーク・アクセス・エージェントを移動するかどうかを決定するステップと、前記アイドル状態のアクセス端末の再アクティブ化を示す情報に応答して、前記ネットワーク・アクセス・エージェントを移動するかどうかを決定するステップと、前記アクセス端末に関連する再アクティブ化待ち時間に基づいて、前記ネットワーク・アクセス・エージェントを移動するかどうかを決定するステップとを含む、請求項１に記載の方法。
【請求項８】
前記ネットワーク・アクセス・エージェントを移動するかどうかを決定するステップが、ネットワーク・アクセス・エージェント・ノードの利用可能性、ネットワークまたはトンネリングの遅延、１つまたは複数のネットワーク・ロード・パラメータ、前記アクセス端末の移動度特性、アプリケーションに関連するサービス品質のタイプ、および前記アプリケーションに関連するサービス等級のうちの少なくとも１つに基づいて、前記ネットワーク・アクセス・エージェントを移動するかどうかを決定するステップを含み、前記ネットワーク・アクセス・エージェントに移動することを決定するステップに応答して、ホームエージェントに前記アクセス端末を登録することを含む、請求項１に記載の方法。
【請求項９】
前記ネットワーク・アクセス・エージェントを移動するかどうかを決定するステップが、前記無線通信システムに関連する前記状態情報に基づいて、前記ネットワーク・アクセス・エージェントの移動を強制するステップを含む、請求項１に記載の方法。
【請求項１０】
前記ネットワーク・アクセス・エージェントを移動するステップを含む、請求項１に記載の方法。
【発明の詳細な説明】
【技術分野】
【０００１】
本発明は、一般に、通信システムに関し、より詳細には、無線通信システムに関する。
【背景技術】
【０００２】
通常の無線電気通信では、１つまたは複数のアクセス端末が無線アクセス・ネットワーク（ＲＡＮ）に無線リンクを設定し得る。ＲＡＮアーキテクチャは、通常、階層的であり、各アクセス端末の呼出しセッションに関連する呼出し状態情報は、無線ネットワーク・コントローラ（ＲＮＣ）、パケット・データ・サービング・ノード（ＰＤＳＮ）などの中央保管庫内に記憶される。通常の階層ネットワーク・アーキテクチャの１つの代替は、基地局ルータのネットワークを含む分散アーキテクチャである。例えば、各基地局ルータは、ＲＮＣおよび／またはＰＤＳＮ機能を１つまたは複数のアクセス端末とインターネットなどの外部ネットワークの間の無線リンクを管理する単一の実体内に結合することが可能である。階層ネットワークと比較して、分散アーキテクチャは、ネットワークを配備するコストおよび／または複雑性、ならびに既存のネットワークの受信可能範囲を拡張するために追加の無線アクセス・ポイント（例えば、基地局ルータ）を加えるコストおよび／または複雑性を削減する可能性を有する。階層ネットワークのＲＮＣおよびＰＤＳＮでのパケット待ち行列遅延が削減または除外され得るため、分散ネットワークは、（階層ネットワークと相対的に）ユーザが経験する遅延を削減することも可能である。
【０００３】
分散アーキテクチャでは、基地局ルータは、ＲＮＣおよびＰＤＳＮの機能性を組み込む。基地局ルータのサービス範囲内のアクセス端末に関連する１つまたは複数のネットワーク・アクセス・エージェントは、移動体ＩＰ（ＭＩＰ）を実施することが可能である。ネットワーク・アクセス・エージェントは、通常、ＰＤＳＮプロトコル・スイートの一部であり、アクセス端末と分散ネットワークの間の接続性を提供する責任を負う。例えば、ネットワーク・アクセス・エージェントは、アクセス端末のための接続点（Ｐｏｉｎｔ  ｏｆ  Ａｔｔａｃｈｍｅｎｔ；ＰｏＡ）および／またはアドレスの保護（Ｃａｒｅ  ｏｆ  Ａｄｄｒｅｓｓ；ＣｏＡ）機能性を提供する外部エージェントであり得る。アクセス端末はまた、インターネット・プロトコル（ＩＰ）ネットワークに永久／半永久接続を提供して、アクセス端末にサービス提供している外部エージェントを識別する情報を維持するホームエージェント（ＨＡ）にも登録する。したがって、アクセス端末によって送信された情報は、無線インターフェース上で基地局ルータに移動し、次いで、ホームエージェントを経由してＩＰネットワークに方向づけされることが可能である。アクセス端末向けの情報は、ホームエージェントを経由して、ＩＰネットワークから基地局ルータに移動し、次いで、無線インターフェース上でアクセス端末に移動することが可能である。
【０００４】
アクセス端末が無線ネットワークを介して移動する場合、アクセス端末に無線インターフェースを提供する基地局ルータは変更し得る。例えば、アクティブの呼出しセッションを有するアクセス端末が、第１の基地局ルータによってサービス提供される地理的地域から第２の基地局ルータによってサービス提供される異なる地理的地域に移動する場合、アクセス端末に関連するネットワーク・アクセス・エージェントは、第１の基地局ルータから第２の基地局ルータに移動または転送されることが可能であり、第２の基地局ルータは、次いで、サービス提供している基地局ルータになる。ホームエージェントは、通常、ネットワークの全体にわたってローミングするアクセス端末と依然として同じである。アクセス端末が頻繁に移動する場合、ネットワーク・アクセス・エージェントを繰り返し転送することに関連する追加のオーバヘッドは、乏しいネットワーク・リソースを望ましくなく消費する可能性がある。
【０００５】
アクセス端末がアイドル状態または休止状態になる場合、サービス提供している基地局ルータと、無線アクセス・ネットワーク内の任意のデータ経路とを有する無線インターフェースは、乏しいネットワーク・リソースを保存するために破壊される（ｔｏｒｎ  ｄｏｗｎ）。ローミングするアイドル状態のアクセス端末に関連するネットワーク・アクセス・エージェントを移動することも、乏しいネットワーク・リソースを消費する。例えば、外部エージェントは、移動体ＩＰ技術に従って、ホームエージェントとアクセス端末の間のトラフィックを中継することが可能であり、その場合、外部エージェントはレイヤ３アンカ（ａｎｃｈｏｒ）と呼ばれる場合がある。レイヤ３アンカを１つの基地局ルータからもう１つの基地局ルータに転送することは、アクセス端末に新しい無線接続を形成することを要求し、これは、シグナリング・オーバヘッドを加えて、アクセス端末をアクティブ・モードに回復させる。アイドル状態のアクセス端末が頻繁に移動する場合、レイヤ３アンカを繰り返し転送することに関連する追加のオーバヘッドは、乏しいネットワーク・リソースを消費し、アクセス端末をアイドル・モードに設定する目的を潜在的にくつがえす可能性がある。その結果、アクセス端末が着信通信または発信通信に応答してアクティブ化されるまで、通常の分散ネットワークは、アイドル状態のアクセス端末に関連する外部エージェントを通常移動させない。
【０００６】
しかし、アイドルのアクセス端末に関連する外部エージェントを移動しないことも、いくつかの欠点を有する可能性がある。状況に応じて、アイドル状態のアクセス端末は、サービス提供しているこれまでの基地局ルータから離れた基地局ルータに関連する地理的地域にローミングすることが可能である。したがって、アクセス端末が起動して、アイドル状態または休止状態の呼出しセッションを再開することを試みる場合、外部エージェントは新しい基地局ルータに移動される必要があり得る。例えば、アクセス端末はネットワークに再登録する必要があり得、アクティブな通信リンクが基地局ルータを用いて設定され得る前に、新しい基地局ルータへの外部エージェントの再配置を実行する必要があり得る。外部エージェントの再配置手順は、アクセス端末に関してセッションの再アクティブ化遅延を増大する可能性がある。アクセス端末に関連する呼出しセッションが着信および／または発信情報に迅速に応答するように設計されている場合、セッションの再アクティブ化遅延は特に厄介な可能性がある。例えば、プッシュ・ツー・トーク（Ｐｕｓｈ−ｔｏ−Ｔａｌｋ）アプリケーションは、着信および／または発信情報にかなり迅速に応答するように設計され、したがって、セッションの再アクティブ化遅延が著しい場合、所望されるように動作しない可能性がある。
【発明の開示】
【発明が解決しようとする課題】
【０００７】
本発明は、上に記載された１つまたは複数の問題に効果に対処することに関する。以下は、本発明のいくつかの態様の基本的な理解をもたらすために、本発明の簡素化された概要を提示する。本概要は本発明の網羅的な概要ではない。本発明の主要なもしくは重要な要素を特定すること、または本発明の範囲を描写することは意図されない。その唯一の目的は、後に議論されるより詳細な説明の前置きとして簡素化された形式でいくつかの概念を提示することである。
【課題を解決するための手段】
【０００８】
本発明の一実施形態では、ネットワーク・アクセス・エージェントの移動をトリガするための方法が提供される。方法は、アクセス端末に関連する移動性情報および無線通信システムに関連する状態情報のうちの少なくとも１つに基づいて、無線通信システム内のアクセス端末に関連するネットワーク・アクセス・エージェントを移動するかどうかを決定することを含む。
【０００９】
本発明は、その中で、同様の参照番号が同様の要素を識別する添付の図面と共に以下の説明を参照することによって理解され得る。
【００１０】
本発明は様々な変更形態および代替形式が可能であると同時に、それらの特定の実施形態は図内の例により示されており、本明細書で詳細に説明される。しかし、特定の実施形態の本明細書の説明は、本発明を開示された特定の形式に限定することが意図されず、逆に、本発明は添付の特許請求の範囲によって定義される本発明の精神および範囲に包括されるすべての変更形態、均等物、および代替形態を網羅することが意図される点に留意されたい。
【発明を実施するための最良の形態】
【００１１】
本発明の例示的な実施形態が下で説明される。分かりやすくするために、実際の実施形態のすべての特徴機能は本明細書内で説明されない。任意のかかる実際の実施形態の開発において、実施形態によって異なることになる、システム関連および事業関連の制約の順守など、開発者の特定の目的を達成するためにいくつかの実施形態特定の決定が行われるべきである点を当然理解されよう。さらに、かかる開発努力は、複雑かつ時間がかかる可能性があるが、それでもなお、本開示の利益を有する当業者にとって日常の作業になる点を理解されよう。
【００１２】
本発明の部分および対応する詳細な説明は、ソフトウェア、またはアルゴリズムおよびコンピュータ・メモリ内のデータビットに関する動作の記号表現の観点から提示される。これらの説明および表現は、それにより当業者が彼らの作業の実体を他の当業者に効率的に伝える説明および表現である。その用語が本明細書で使用されるように、かつ当該用語が一般に使用されるように、アルゴリズムは、所望される結果をもたらすステップの首尾一貫した系列であると考えられる。ステップは、物理量の物理的操作を要求するステップである。そうであるとは限らないが、通常、これらの量は、記憶され、転送され、組み合わされ、比較され、そうでない場合は、操作されていることが可能である光信号、電気信号、または磁気信号の形をとる。主に一般の使用法の理由で、これらの信号をビット、値、要素、記号、文字、語、番号などと呼ぶことが時には便利であることが証明されている。
【００１３】
しかし、これらの用語および類似の用語のすべては、適切な物理量に関連すべきであり、単にこれらの量に応用される便利な標示である点に留意されたい。特に具体的にその他の指定がない限り、または議論から明らかなように、「処理」または「演算」または「計算」または「決定」または「表示」などの用語は、コンピュータ・システムのレジスタおよびメモリ内の物理的な電子量として表されるデータを操作して、コンピュータ・システムのメモリもしくレジスタまたはその他のかかる情報記憶装置内、伝送装置内、または表示装置内の物理的な量として類似して表されるその他のデータに変換するコンピュータ・システム、または類似の電子演算装置の動作および処理を指す。
【００１４】
本発明のソフトウェア実施態様は、通常、いくつかの形式のプログラム記憶媒体上で符号化され、またはいくつかのタイプの伝送媒体上で実施されることにも留意されたい。プログラム記憶媒体は、磁気（例えば、フロッピー（登録商標）・ディスクもしくはハード・ドライブ）または光（例えば、コンパクト・ディスク読出し専用メモリ、もしくは「ＣＤ  ＲＯＭ」）であり得、読出し専用またはランダム・アクセスであり得る。同様に、伝送媒体は、より対線、同軸ケーブル、光ファイバ、または当技術分野で知られているいくつかのその他の適切な伝送媒体であり得る。本発明は、任意の所与の実施形態のこれらの要素によって限定されない。
【００１５】
本発明は、次に、添付の図面を参照して説明される。様々な構造、システム、および装置は、説明だけの目的で、かつ当業者によく知られている詳細により本発明をあいまいにしないように、図面内に概略的に示される。それでもなお、添付の図面は本発明の例示的な例を記載および説明するために含まれる。本明細書で使用される用語および句は、関連当業者によるそれらの用語および句の理解と一貫した意味を有すると理解および解釈されるべきである。用語または句の特別な定義、すなわち、当業者によって理解される通常のおよび習慣的な意味とは異なる定義は、本明細書の用語または句の一貫した使用法によって暗示されることが意図されない。用語または句が特別な意味、すなわち、当業者によって理解される以外の意味を有することが意図される範囲で、かかる特別な定義は、当該用語または当該句に関して特別な定義を直接的かつ明白に提供する定義方法で本明細書内に明示的に記載されることになる。
【００１６】
図１は、分散無線通信システム１００の１つの例示的な実施形態を概念的に示す。例示された実施形態では、分散無線通信システム１００は、１つまたは複数の無線通信規格および／またはプロトコルに従って動作することが可能である。例えば、分散無線通信システム１００は、ユニバーサル移動体電気通信システム（ＵＭＴＳ）、符号分割多元接続（ＣＤＭＡ、ＣＤＭＡ２０００）プロトコル、３Ｇ１Ｘデータ・サービス、進化データの最適化（Ｅｖｏｌｕｔｉｏｎ  Ｄａｔａ−Ｏｐｔｉｍｉｚｅｄ）（１Ｘ  ＥＶ−ＤＯ）サービス、高速データ・パケット・アクセス（ＨＳＤＰＡ）、ＷｉＭＡＸシステムなどのうちの１つまたは複数を実施することができる。例示された実施形態では、分散無線通信システム１００は、レイヤ３移動度を管理するために移動体インターネット・プロトコル（ＭＩＰ）を実施する。しかし、当業者は、本発明はこれらの例示的な無線通信規格および／またはプロトコルに限定されない点を理解されたい。代替の実施形態では、無線通信システム１００の部分は、有線および／もしくは無線の基準ならびに／またはプロトコル内で実施され得る。
【００１７】
例示された実施形態では、分散無線電気通信システム１００のためのアクセス・ポイントは、基地局ルータ１０５（１〜３）の分散ネットワークを含む。以下、分かりやすくするために、説明が基地局ルータ１０５（１）などの特定の基地局ルータ１０５を指す場合を除いて、基地局ルータ１０５（１〜３）は、指標１０５によって集合的に参照されることになる。本発明は、複数の基地局ルータ１０５を含む分散無線電気通信システム１００という状況に関して説明されることになるが、当業者は、本発明はアクセス・ポイントが基地局ルータ１０５である分散電気通信システム１００に限定されない点を理解されたい。代替の実施形態では、分散無線電気通信システム１００は、任意の望ましい数のおよび／またはタイプのアクセス・ポイントを含み得る。
【００１８】
例示された実施形態では、基地局ルータ１０５は、ＩＰネットワーク１２０に対して永久および／または半永久接続として機能し得るホームエージェント１１５に通信的に結合される。ホームエージェント１１５は、ＭＩＰの１つまたは複数のバージョンを実施することが可能である。基地局ルータ１０５はまた、当業者に知られている方法で、その他の基地局ルータ１０５、その他のホームエージェント１１５、その他の装置、その他のネットワーク１２０などと通信するように構成されることも可能である。基地局ルータ１０５および／またはホームエージェント１１５を構成するためかつ／または操作するための技術は当業者に知られており、分かりやすくするために、本発明に関連する基地局ルータ１０５および／またはホームエージェント１１５の構成および／または操作のそれらの態様だけが本明細書でさらに議論される。
【００１９】
図２は、基地局ルータ２００の１つの例示的な実施形態を概念的に示す。例示された実施形態では、基地局ルータ２００は、１つまたは複数のネットワーク・アクセス・エージェント２０５を含む。本明細書で使用されるように、用語「ネットワーク・アクセス・エージェント」は、アクセス端末に接続点および／またはケア・オブ・アドレス機能性を提供するために使用される基地局ルータ２００内の実体を指すために使用されることになる。したがって、基地局ルータ２００は、１つまたは複数のアクセス端末とアクセス端末に関連する（１つまたは複数の）ホームエージェントの間の接続性を管理する責任を負う可能性がある１つまたは複数のネットワーク・アクセス・エージェント２０５を含み得る。例えば、ネットワーク・アクセス・エージェントは、アクセス端末に関連するローカル・インターネット・アドレス（すなわち、ネットワーク・アドレス識別子）をそのホームエージェントによってアクセス端末に割り当てられた適切なグローバル・インターネット・アドレスに変換する責任を負う可能性がある。ネットワーク・アクセス・エージェント２０５は、アプリケーション層（またはレイヤ３）で実施され得る。ネットワーク・アクセス・エージェントの例は、ＭＩＰバージョン４によって定義される外部エージェントとＭＩＰバージョン６によって定義されるアクセス・ルータとを含む。
【００２０】
基地局ルータ２００内のネットワーク・アクセス・エージェント２０５は、現在、基地局ルータ２００とのアクティブまたは非アクティブな通信リンクを有するアクセス端末と関連づけられることが可能である。さらに、場合によっては、基地局ルータ２００は、基地局ルータ２００とアクティブまたは非アクティブな通信リンクを有したが、それ以来、異なる基地局ルータとのアクティブまたは非アクティブな通信リンクを移動および設定した、アクセス端末と関連するネットワーク・アクセス・エージェント２０５を含み得る。
【００２１】
基地局ルータ２００は、基地局ルータ２００に関連する無線インターフェースなどの共有媒体へのアクセスを取り扱うメディア・アクセス制御層２１０（例えば、１つまたは複数のレイヤ２実体）を含み得る。基地局ルータ２００はまた、無線の伝送および／または受信能力を提供する物理層２１５（例えば、１つまたは複数のレイヤ１実体）を含むことも可能である。一実施形態では、媒体アクセス制御層２１０および／または物理層２１５は、ネットワーク・アクセス・エージェント２０５によって記憶された情報に従って動作することが可能である。本開示の利益を有する当業者は、ネットワーク・アクセス・エージェント２０５、媒体アクセス制御層２１０、および／または物理層２１５は、ハードウェア、ファームウェア、ソフトウェア、またはそれらの任意の組合せで実施され得る点を理解されたい。
【００２２】
図１を再び参照すると、基地局ルータ１０５は、関連する地理的領域またはセル内のアクセス端末１１０に無線通信リンク１２５を提供する。本明細書で使用されるように、用語「通信リンク」は、アクセス端末と基地局ルータの間の関連を指し、したがって、無線インターフェース、アクセス端末のセッション・コンテキスト（ｃｏｎｔｅｘｔ）などを含み得る。アクセス端末１１０はまた、「移動体ユニット」、「移動体端末」などの用語を使用して参照される場合もある。基地局ルータ１０５の各々は、１つまたは複数のアクセス端末１１０との呼出しセッションに関連する任意のその他の所望される動作を開始、設置、維持、送信、受信、終了、または実行することが可能であり得る。例えば、各基地局ルータ１０５は、無線ネットワーク・コントローラ（ＲＮＣ）機能およびパケット・データ・サービング・ノード（ＰＤＳＮ）機能を単一の実体内に結合することが可能である。
【００２３】
アクセス端末１１０は、アクティブ・モードまたは非アクティブ・モードであり得る。例示された実施形態では、通信リンク１２５（１）および１２５（３）はアクティブ・リンクであり、したがって、基地局ルータ１０５（１）および１０５（３）は、トラフィックチャネルと関連するデータ経路とをそれぞれのアクティブなアクセス端末１１０（１）および１１０（２）に提供している。アクセス端末１１０（２）は、例示された実施形態では非アクティブである。例えば、アクセス端末１１０（２）は、アイドル・モード、スリープ・モード、または休止モードであり得る。アクティブ・モード、アイドル・モード、およびスリープ・モードの実施形態は、ＩＥＥＥ８０２．１６規格および／またはＷｉＭＡＸ規格によって定義される。休止モードは、ＣＤＭＡ  １ｘ規格によって定義され得る。スリープ状態のアクセス端末は、現在、情報を送受信していないが、その他の点では、１つまたは複数の基地局ルータとアクティブな通信リンクを維持する。アイドル状態または休止状態のアクセス端末は、基地局ルータとの無線インターフェースを有さないが、アクセス端末に関連する有効なセッション・コンテキストは開放されたがまだ閉じられていない通信フローのために基地局ルータ内で維持される。
【００２４】
したがって、アクセス端末１１０（２）は、基地局ルータ１０５（２）との通信リンク１２５（２）を依然として有することが可能である。例えば、アクセス端末１１０（２）がアイドル・モードに入る場合、アクセス端末１１０（２）と基地局ルータ１０５（２）の間の既存のトラフィックチャネルは破壊されるが、破線１２５（２）によって表示されるように、セッション・コンテキストは維持される。様々な代替の実施形態では、アイドル・モードへのエントリーは、ユーザがアクセス端末１１０（２）をパワーダウンする（ｐｏｗｅｒｉｎｇ  ｄｏｗｎ）こと、音声通信内の沈黙、データを要求する伝送の不在などによってトリガされ得る。例えば、アクセス端末１１０（２）は、音声またはデータが送信または受信されていない場合に開始するタイマを含み得る。タイマが終了すると、アクセス端末１１０（２）はアイドル状態になり、トラフィックチャネルは破壊され得る。
【００２５】
１つまたは複数の移動体ユニット１１０は、基地局ルータ１０５によってサービス提供されている地理的地域の全体にわたって移動することが可能である。例えば、１つまたは複数の移動体ユニット１１０は、アクティブ・モードの間、ローミングすることが可能であり、１つまたは複数の移動体ユニット１１０は、非アクティブ・モードの間、ローミングすることが可能である。さらに、１つまたは複数の移動体ユニット１１０は、ローミングの間、非アクティブ・モードに入ることが可能である。したがって、下で詳細に議論されるように、ローミングしている移動体ユニット１１０に関連するネットワーク・アクセス・エージェントは、非アクティブ・モードの間、非アクティブ・モードになるのに先立って、非アクティブ・モード中、および／または非アクティブ・モードを終了する間、基地局ルータ１０５間で移動され得る。
【００２６】
分散無線通信システム１００は、１つまたは複数のアクセス端末１１０に関連する移動度情報に基づいて、（１つまたは複数の）アクセス端末１１０に関連するネットワーク・アクセス・エージェントを移動するかどうかを決定することが可能である。様々な代替の実施形態では、移動度情報は、アクセス端末１１０に関連するアクティブ性モード（例えば、アクティブ・モードまたは非アィティブ・モード）、１つの基地局ルータ１０５からもう１つの基地局ルータ１０５に情報を中継することに関連するトランスポート遅延、制御シグナリング・オーバヘッド（例えば、ローミングしているアクセス端末１１０のハンドオフ用に使用される制御シグナリングのためのオーバヘッド）、呼出しの再アクティブ化時間、アクセス端末１１０の位置、アクセス端末１１０のためのネットワーク・アクセス・エージェントの位置、物理層の移動度アクセスの移動度の頻度または速度、ポリシーベースのタイマなど、ならびにそれらの任意の組合せを示す情報を含み得る。
【００２７】
一実施形態では、移動度情報は、１つまたは複数のアクセス端末１１０上で実行する１つまたは複数のアプリケーションに関連する情報を含み得る。本明細書で使用されるように、用語「アプリケーション」は、アクセス端末１１０上および／または基地局ルータ１０５上で実行するプログラム、プロセス、および／またはスレッドを指すと理解されることになる。アプリケーションはまた、レイヤ３実体を指す場合もあり、アクセス端末１１０のユーザに音声サービスを提供するために使用され得る。例示的なアプリケーションは、ボイス・オーバ・インターネット・プロトコル（ＶｏＩＰ）、ビデオおよび／または音声ストリーミング、プッシュ・ツー・トークなどを含むが、これらに限定されない。アプリケーションは、ハードウェア、ファームウェア、ソフトウェア、またはそれらの任意の組合せで実施され得る。様々な代替の実施形態では、１つまたは複数のアプリケーションに関連する移動度情報は、遅延許容度、ユーザおよび／またはアプリケーションに関連するサービス品質（ＱｏＳ）要件、ユーザおよび／またはアプリケーションに関連するサービス等級などを示す情報を含み得る。
【００２８】
分散無線通信システム１００はまた、無線通信システム１００に関連する状態情報に基づいて、（１つまたは複数の）アクセス端末１１０に関連するネットワーク・アクセス・エージェントを移動するかどうかを決定することも可能である。状態情報は、無線通信システム１００の現在の動作状態および／または無線通信システム１００の将来の動作状態を示す、任意の情報を含み得る。無線通信システム１００に関連する状態情報の例は、測定されたまたは予測されたネットワーク・ロード、計画されたまたは計画されていない動作不能状態、予定された保守などを示す情報を含み得るが、これらに限定されない。一実施形態では、分散無線通信システム１００（または基地局ルータ１０５）は、例えば、リソースを管理するために、または現在の基地局ルータ１０５の保守のために、ネットワーク・アクセス・エージェントの移動を強制することが可能である。このプロセスは、基地局の再選択または呼出しの再選択と呼ばれる場合がある。本開示の利益を有する当業者は、移動度情報と状態情報とは、独立して、または互いと共に使用され得る点を理解されたい。
【００２９】
図３は、アイドル・モードに入るのに先立って、ネットワーク・アクセス・エージェントを移動するかどうかを決定するための方法３００の１つの例示的な実施形態を概念的に示す。例示された実施形態では、基地局ルータは、（３０５で）アイドル・モードに入る要求をアクセス端末から受信することが可能である。例えば、アクセス端末は、保留中の送信および／または受信を有さないことを決定することが可能であり、したがって、電池電力を保存するためにアイドル・モードに入る要求を送信することが可能である。もう１つの例の場合、ネットワークは、アクセス端末に関して保留中の送信および／または受信を有さないことを決定することが可能であり、したがって、電池電力を保存するためにアイドル・モードに入る要求を送信することが可能である。基地局ルータは、次いで、（３１０で）ネットワーク・アクセス・エージェントがサービス提供している基地局ルータ上にあるかどうかを決定することが可能である。基地局ルータは、（３１５で）要求を許可することが可能であり、ネットワーク・アクセス・エージェントが基地局ルータ上にある場合、すなわち、基地局ルータがサービス提供している基地局ルータである場合、アクセス端末はアイドル・モードに入ることが可能である。
【００３０】
アクセス端末に関連するネットワーク・アクセス・エージェントが基地局ルータ上にない場合、基地局ルータは、（３２０で）目標基地局ルータへのネットワーク・アクセス・エージェントの移動をトリガすることが可能である。例えば、基地局ルータがＭＩＰに従って動作する場合、基地局ルータ内の呼出し処理コンテキスト機能は、アイドル・モードのエントリー要求を検証、妥当性確認、および承認することが可能である。したがって、現在の外部エージェントでの呼出し処理コンテキスト機能は、目標基地局ルータへのネットワーク・アクセス・エージェントのレイヤ３アンカ転送のために目標外部エージェントを用いてＭＩＰ登録を実行するためにアクセス端末をトリガし得るネットワーク・シグナリングを介して、目標外部エージェントで外部エージェント・ルータ広告をトリガすることが可能である。
【００３１】
次いで、（３１５で）アイドル・モードに入る要求が許可され得る。一実施形態では、サービス提供している基地局ルータへのネットワーク・アクセス・エージェント転送は、アクセス端末がアイドル・モードに入る直前に発生する。したがって、ネットワーク・アクセス・エージェントは、アクセス端末がアイドル・モードに入る前に、サービス提供している基地局ルータ（または、ネットワーク・アクセス・エージェントが配置され得る最も近いノード）に再配置され、これはアイドル・モードの間またはセッションの再設定の最初にネットワーク・アクセス・エージェント転送を実行する必要性を削減し得る。
【００３２】
図４は、アイドル・モードのアクセス端末に関連するネットワーク・アクセス・エージェントを移動するかどうかを決定するための方法４００の１つの例示的な実施形態を概念的に示す。例示された実施形態では、（４０５で）第１の基地局ルータは、アクセス端末が第２の基地局ルータによってサービス提供される地理的地域に移動したことを示す位置更新メッセージを受信することが可能である。本明細書で使用されるように、用語「位置更新メッセージ」は、アクセス端末の位置および／またはアクセス端末の移動を示す情報を含むメッセージを指すと理解されることになる。アイドル状態のアクセス端末は、第２の基地局ルータによってサービス提供される地理的地域に入る場合、位置更新メッセージを第２の基地局ルータに提供することが可能である。位置更新メッセージを受信することに応答して、第２の基地局ルータは、アクセス端末の位置および／またはアクセス端末の移動を示す情報を第１の（サービス提供している）基地局ルータに提供することが可能である。例示された実施形態では、第１の基地局ルータは、アイドル状態のアクセス端末に関連するネットワーク・アクセス・エージェントを含む。
【００３３】
第１の基地局ルータは、（４１０で）アクセス端末上の１つまたは複数のアプリケーションに関連する情報に基づいて、ネットワーク・アクセス・エージェントを第２の基地局ルータに移動するか否かを決定することが可能である。例示された実施形態では、第１の基地局ルータは、呼出しセッション・コンテキストを含むアイドル・モード維持情報を保持するネットワーク・アクセス・エージェントを含み、アイドル状態のアクセス端末からの周期的な位置更新情報メッセージを知ることが可能である。したがって、第１の基地局ルータ（または、呼出しアンカとして機能する任意のその他のノード）は、（４１０で）ネットワーク・トポロジーおよび／またはＭＩＰ登録境界に基づいて、ネットワーク・アクセス・エージェントを移動させるか否かを決定することが可能である。
【００３４】
第１の基地局ルータ（または、呼出しアンカとして機能する任意のその他のノード）は、（４１０で）最後に報告された基地局ルータへの経路内の異なる基地局ルータ間のトンネルの利用可能性、データ経路探索時間（ｔｒａｖｅｒｓａｌ  ｔｉｍｅ）、アイドル状態のアクセス端末の移動の１つまたは複数の特性（例えば、基地局ルータの受信可能範囲地域の間でアイドル状態のアクセス端末は比較的速く移動しているかまたは比較的に遅く移動しているか）、および幹線道路、道、電車の線路などに関連し得るような所定の移動パターンに基づいて、ネットワーク・アクセス・エージェントを移動するか否かを決定することも可能である。これらのシナリオの各々で、アイドル状態のアクセス端末上および／または１つまたは複数の基地局ルータ上の１つまたは複数のアプリケーションに関連する情報に基づいて、特定のＦＡ移動アルゴリズムと戦略とが形成され得る。
【００３５】
第１の基地局ルータが、（４１０で）アイドル状態のアクセス端末に関連するネットワーク・アクセス・エージェントは移動するべきであると決定した場合、ネットワーク・アクセス・エージェントは、（４１５で）第２の基地局ルータに移動され得る。一実施形態では、第１の基地局ルータは、アクセス端末のためのＭＩＰクライアント・プロキシ（ＰＭＩＰ）として機能することができる。第１の基地局ルータは、したがって、アイドル状態のアクセス端末の代わりにＭＩＰシグナリングを取り扱うことが可能である。ネットワークは、（４１５で）アイドル状態のアクセス端末からの特定のシグナリングなしに、アイドル状態のアクセス端末に関連する位置情報（または、通信リンクに関連する任意のその他の情報）に基づいて、第２の基地局ルータへのネットワーク・アクセス・エージェント移動を開始することができる。したがって、ＰＭＩＰを用いた配備シナリオで、ネットワークは、（４１５で）アイドル状態のアクセス端末が１つの基地局ルータからもう１つの基地局ルータに移動する場合、最終的なセッションの再設置時間を削減するために、ネットワーク・アクセス・エージェントを最後に報告された基地局ルータに移動することが可能である。方法４００は、（４２０で）終了し得る。
【００３６】
図５は、アクセス端末がアイドル・モードを終了する間に、ネットワーク・アクセス・エージェントを移動するかどうかを決定するための方法５００の１つの例示的な実施形態を概念的に示す。例示的な実施形態では、基地局ルータは、（５０５で）例えば、アクセス端末によって送信されることになるまたは受信されることになる情報に応答して、アイドル状態のアクセス端末が再アクティブ化されるという通知を受信することができる。例えば、アクセス端末は、アクセス端末が伝送を再開することを計画しており、したがって、再アクティブ化されるべきであることを示すメッセージを送信することができる。もう１つの例では、ネットワークは、アクセス端末はアクセス端末宛の情報を受信することに応答して、再アクティブ化されるべきであることを示すメッセージを提供することが可能である。
【００３７】
次いで、基地局ルータは、（５１０で）アイドル状態のアクセス端末が再アクティブ化される前に、ネットワーク・アクセス・エージェントが移動されるべきか否かを決定することが可能である。例えば、基地局ルータは、（５１０で）アクセス端末の通信リンクに関連する１つまたは複数のアプリケーションが再アクティブ化待ち時間に敏感であることを決定することが可能である。再アクティブ化待ち時間に敏感なアプリケーションの一例は、プッシュ・ツー・トーク・サービスである。基地局ルータは、（５１０で）トランスポート遅延が削減され得るように、ネットワーク・アクセス・エージェントがサービス提供する新しい基地局ルータ上にあることになるよう、アイドル状態のアクセス端末がＣＭＩＰ構成またはＰＭＩＰ構成のアイドル・モードを離れる場合、ネットワーク・アクセス・エージェントは移動されるべきであると決定することが可能である。ネットワーク・アクセス・エージェントが移動されるにせよ、そうでないにせよ、アクセス端末は再アクティブ化されることになるため、ＭＩＰシグナリングに関して追加の無線（ＯＴＡ）コストは存在しない。
【００３８】
基地局ルータが（５１０で）ネットワーク・アクセス・エージェントは移動されるべきであると決定した場合、ネットワーク・アクセス・エージェントは（５１５で）移動され得る。一実施形態では、ネットワーク・アクセス・エージェントは、（５２０で）アクセス端末が再アクティブ化される前に（５１５で）移動され得る。あるいは、ネットワーク・アクセス・エージェントは、（５１５で）再アクティブ化プロセスと同時に移動され得る。基地局ルータが（５１０で）ネットワーク・アクセス・エージェントは移動されるべきでないと決定した場合、アクセス端末は（５２０で）いかなる移動も実行せずに再アクティブ化され得る。
【００３９】
図６は、アクティブなアクセス端末に関連するネットワーク・アクセス・エージェントを移動するかどうかを決定するための方法６００の１つの例示的な実施形態を概念的に示す。例示された実施形態では、第１の基地局ルータは、（６０５で）アクセス端末の位置および／またはアクセス端末の移動を示す情報を受信することが可能である。情報は、アクセス端末が第２の基地局ルータによってサービス提供される地理的地域に移動したことを示すことができる。例えば、アクセス端末は、第２の基地局ルータによってサービス提供される地理的地域に入った場合、アクセス端末の位置／移動を示す情報を第２の基地局ルータに提供することが可能である。位置／移動情報を受信することに応答して、第２の基地局ルータは、アクセス端末の位置／移動を示す情報を第１の（サービス提供している）基地局ルータに提供することが可能である。例示された実施形態では、第１の基地局ルータは、アクセス端末に関連するネットワーク・アクセス・エージェントを含む。
【００４０】
第１の基地局ルータは、（６１０で）アクセス端末上の１つまたは複数のアプリケーションに関連する情報に基づいて、ネットワーク・アクセス・エージェントを第２の基地局ルータに移動するか否かを決定することが可能である。一実施形態では、第１の基地局ルータは、（６１０で）ネットワーク・アクセス・エージェント・ノードが第２の基地局ルータ内またはその近辺で利用可能であるか否かに基づいて、ネットワーク・アクセス・エージェントを移動するか否かを決定することが可能である。第１の基地局ルータは、（６１０で）ネットワーク（トンネリング）遅延の値および／または１つまたは複数のネットワーク・ロード・パラメータに基づいて、ネットワーク・アクセス・エージェントを移動するか否かを決定することも可能である。（６１０で）ネットワーク・アクセス・エージェントを移動するか否かを決定する場合、アクセス端末の速度、交差するＢＳＲ境界のレート、幹線道路に沿ってなど、所定の経路に沿った移動など、アクセス端末の様々な移動度特性も考慮され得る。アプリケーションに関連するＱｏＳタイプのサービス・フローも考慮され得る。例示的なＱｏＳタイプは、ＷｉＭＡＸ規格内で定義されるように、非請求許可サービス（Ｕｎｓｏｌｉｃｉｔｅｄ  Ｇｒａｎｔ  Ｓｅｒｖｉｃｅ；ＵＧＳ）、リアルタイムの可変レート（Ｒｅａｌ  Ｔｉｍｅ  Ｖａｒｉａｂｌｅ  Ｒａｔｅ；ＲＴ−ＶＲ）、拡張ＲＴ−ＶＲ（ＥＲＴ−ＶＲ）、非ＲＴ−ＶＲ（ＮＲＴ−ＶＲ）、およびベスト・エフォート（ＢＥ）などのタイプを含み得る。金、銀、銅など、ユーザおよび／またはアプリケーションに関連するサービス等級（ＧＯＳ）も考慮され得る。
【００４１】
（６１０で）ネットワーク・アクセス・エージェントは移動されるべきでないと決定された場合、方法６００は（６１５で）終了し得る。しかし、（６１０で）ネットワーク・アクセス・エージェントは移動されるべきであると決定された場合、ネットワーク・アクセス・エージェントは（６２０で）移動され得る。一実施形態では、（６２０で）ネットワーク・アクセス・エージェントを移動することは、目標基地局ルータがアクセス端末のためのネットワーク・アクセス・エージェントになり、新しいＨＡ−ＦＡ結合が形成されるまで、ソース基地局ルータから目標基地局ルータにＩＰパケットを送信することを含み得る。ＨＡ−ＦＡ結合は、目標基地局ルータからのエージェント広告の受信に応答して、（６２５で）アクセス端末がＨＡを用いて再登録する場合に発生する。一実施形態では、（６２５での）再登録のスケジューリングはソースの制御および目標基地局ルータの呼出し制御の支配を受ける可能性がある。
【００４２】
様々な代替の実施形態では、（６２０での）移動は、信頼性がある（例えば、移動はパケット損失を伴わずに発生し得るが、より遅い可能性がある）または信頼性がない（例えば、移動はパケット損失を伴って発生し得るが、より速い可能性がある）と分類され得る。分類は、１つまたは複数のアプリケーションに関連するアクティブなフローのＱｏＳに基づくことが可能である。ＦＡ移動プロセスでは、ソースおよび目標基地局ルータでのバッファ・サイズは、最大維持トラフィック比（Ｍａｘｉｍｕｍ  Ｓｕｓｔａｉｎｅｄ  Ｔｒａｆｆｉｃ  Ｒａｔｅ；ＭＳＴＲ）、最大待ち時間（ＭＬ）、許容ジッタ（ＴＪ）、要求／伝送ポリシー（Ｒ／ＴＰ）、最低予約トラフィック比（Ｍｉｎｉｍｕｍ  Ｒｅｓｅｒｖｅｄ  Ｔｒａｆｆｉｃ  Ｒａｔｅ；ＭＲＴＲ）、トラフィック優先順位（ＴＰ）など、フローに関して定義された、１つまたは複数の保証されたＱｏＳフロー・パラメータに基づいて決定され、ソースおよび／または目標基地局ルータ内のネットワーク・アクセス・エージェント・バッファを同期化するための時間は、当該ＱｏＳフロー・パラメータに基づいて決定され得る。
【００４３】
本発明は、明細書の教示の利益を有する当業者に明らかな、異なるが均等の方法で変更および実施されることが可能であるため、上で開示された特定の実施形態は単に例示的である。さらに、特許請求の範囲内で説明されるものを除いて、本明細書で示された構造または設計の詳細に対して限定は意図されない。したがって、上で開示された特定の実施形態は、修正または変更されることが可能であり、すべてのかかる改変形態は、本発明の精神および範囲内と見なされることは明らかである。したがって、本明細書で求められる保護は特許請求の範囲内に記載される。
【図面の簡単な説明】
【００４４】
【図１】本発明による、無線通信システムの１つの例示的な実施形態を概念的に示す図である。
【図２】本発明による、基地局ルータの１つの例示的な実施形態を概念的に示す図である。
【図３】本発明による、アイドル・モードに入るのに先立って、ネットワーク・アクセス・エージェントを移動するかどうかを決定するための方法の１つの例示的な実施形態を概念的に示す図である。
【図４】本発明による、アイドル・モードのネットワーク・アクセス・エージェントを移動するかどうかを決定するための方法の１つの例示的な実施形態を概念的に示す図である。
【図５】本発明による、アイドル・モードを終了する間に、ネットワーク・アクセス・エージェントを移動するかどうかを決定するための方法の１つの例示的な実施形態を概念的に示す図である。
【図６】本発明による、アクティブなアクセス端末に関連するネットワーク・アクセス・エージェントを移動するかどうかを決定するための方法の１つの例示的な実施形態を概念的に示す図である。
【図１】
2009526478.tif 000003
【図２】
2009526478.tif 000004
【図３】
2009526478.tif 000005
【図４】
2009526478.tif 000006
【図５】
2009526478.tif 000007
【図６】
2009526478.tif 000008
【国際調査報告】
2009526478.tif 000009
2009526478.tif 000010
2009526478.tif 000011